(57)【要約】【課題】ＩＰフレームをセル化してＡＴＭネットワークにより伝送し、ＩＰフレームの優先度に対応した優先制御を行う優先制御システム及び優先制御方法に関し、経済的に有効に優先制御を行う。【解決手段】ＩＰフレームの宛先及び優先度の分類境界のレベル値に従ってコネクション対応に優先と非優先とに分類してセル化するＩＰルーティング処理部３と、このＩＰルーティング処理部３からのＡＴＭセルを交換処理して、ＡＴＭコネクション対応の優先と非優先との分類に従って加える優先領域と非優先領域とからなるバッファ９を含むＡＴＭスイッチング処理部６（ＡＴＭ交換処理部）と、バッファ９の使用率を検出して輻輳発生か否かを判定し、輻輳発生と判定した時に、バッファ９の優先領域の使用率を低減させる制御を行うプロセッサ１等の制御部を備えている。【選択図】　　　図１
2004048156.tif 000002
【特許請求の範囲】
【請求項１】
インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御システムに於いて、
前記ＩＰフレームの宛先及び優先度の分類境界のレベル値に従ってＡＴＭコネクション対応に優先と非優先とに分類してセル化するＩＰルーティング処理部と、
該ＩＰルーティング処理部からのＡＴＭセルを交換処理して、ＡＴＭコネクション対応の優先と非優先との分類に従って加える優先領域と非優先領域とからなるバッファを含むＡＴＭ交換処理部と、
前記バッファの使用率を検出して輻輳発生か否かを判定し、輻輳発生と判定した時に、前記バッファの優先領域の使用率を低減させる制御を行う制御部と
を備えたことを特徴とする優先制御システム。
【請求項２】
インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御システムに於いて、
前記ＩＰフレームの宛先及び優先度の分類境界のレベル値に従ってＡＴＭコネクション対応に優先と非優先とに分類してセル化するＩＰルーティング処理部と、
該ＩＰルーティング処理部からのＡＴＭセルを交換処理して、ＡＴＭコネクション対応の優先と非優先との分類に従って加える優先領域と非優先領域とからなるバッファを含むＡＴＭ交換処理部と、
前記バッファの使用率を検出して輻輳発生か否かを判定し、輻輳発生と判定した時に、前記ＩＰルーティング処理部に於ける優先度の分類境界のレベル値を変更して前記バッファの優先領域に流入するＡＴＭセル量を低減させる制御を行う制御部と
を備えたことを特徴とする優先制御システム。
【請求項３】
インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御システムに於いて、
前記ＩＰフレームの宛先及び優先度の分類境界のレベル値に従ってＡＴＭコネクション対応に優先と非優先とに分類してセル化するＩＰルーティング処理部と、
該ＩＰルーティング処理部からのＡＴＭセルを交換処理して、ＡＴＭコネクション対応の優先と非優先との分類に従って加える優先領域と非優先領域とからなり、且つセル送出ウェイトに従ってＡＴＭセルを送出するバッファを含むＡＴＭ交換処理部と、
前記バッファの使用率を検出して輻輳発生か否かを判定し、輻輳発生と判定した時に、前記セル送出ウェイトを変更して、輻輳発生状態の領域からのＡＴＭセルの送出ウェイトを大きくする制御を行う制御部と
を備えたことを特徴とする優先制御システム。
【請求項４】
インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御方法に於いて、
受信したＩＰフレームを宛先及び優先度の分類境界のレベル値に従ってＡＴＭコネクション対応に優先と非優先とに分類してセル化し、該セル化によるＡＴＭセルを交換処理してＡＴＭコネクション対応の優先と非優先との分類に従ってバッファの優先領域又は非優先領域に入力し、該バッファの使用率を検出して輻輳発生か否かを判定し、輻輳発生と判定した時に、前記ＩＰフレームの優先度の分類境界のレベル値を変更して、輻輳発生バッファ領域へのＡＴＭセルの流入量を低減する制御を行う過程を含む
ことを特徴とする優先制御方法。
【請求項５】
インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御方法に於いて、
受信したＩＰフレームを宛先及び優先度の分類境界のレベル値に従ってＡＴＭコネクション対応に優先と非優先とに分類してセル化し、該セル化によるＡＴＭセルを交換処理してＡＴＭコネクション対応の優先と非優先との分類に従ってバッファの優先領域又は非優先領域に入力し、該バッファからセル送出ウェイトに従ってＡＴＭセルを送出し、且つ該バッファの使用率を検出して輻輳発生か否かを判定し、輻輳発生と判定した時に、前記セル送出ウェイトを変更して、輻輳発生状態の領域からのＡＴＭセルの送出ウェイトを大きくして輻輳解除を行う過程を含む
ことを特徴とする優先制御方法。
【発明の詳細な説明】
【０００１】
【発明の属する技術分野】
本発明は、インターネット・プロトコルによるＩＰフレームをセル化したＡＴＭセルをＡＴＭネットワークにより伝送し、ＩＰフレームの優先度に従った優先制御を行う優先制御システム及び優先制御方法に関する。
【０００２】
【従来の技術】
ＡＴＭ（Ａｓｙｎｃｈｒｏｎｏｕｓ　Ｔｒａｎｓｆｅｒ　Ｍｏｄｅ）セルは、５バイトのヘッダ部と４８バイトの情報フィールド部との５３バイト構成を有し、このＡＴＭセルを伝送するＡＴＭネットワークは、ＡＴＭ交換機を含むＡＴＭノード間を回線により接続して構成されている。このＡＴＭネットワークにより、ＩＰ（Ｉｎｔｅｒｎｅｔ　Ｐｒｏｔｏｃｏｌ）によるＩＰフレームを伝送するシステムも知られている。
【０００３】
このＡＴＭネットワークによりＩＰフレームを伝送するシステムに於いて、ＩＰフレームの優先度については、ＡＴＭネットワークに於ける優先制御技術を適用して、優先制御を行うシステムも知られており、この場合、ＡＴＭノード間で、優先用と非優先用等の複数のＡＴＭコネクションを用意し、ＩＰフレームの優先度に対応したコネクションを設定するものである。例えば、図２０は、優先制御を行う従来例を示すもので、１００−１〜１００−４はＡＴＭノード、１０１はデセル化部、１０２はＩＰルーティング部、１０３はＡＴＭ交換処理部、１０４は宛先分類部、１０５は優先度分類部、１０６はセル化部、１０７はＡＴＭ交換部、１０８はバッファ、１０９はセル抽出部を示す。又各ＡＴＭノード１００−１〜１００−４は同一の構成を有するものである。
【０００４】
図２０に於いては、ＡＴＭノード１００−１〜１００−４間に、優先通信用コネクションと非優先通信用コネクションとを設定した場合を示し、例えば、ＡＴＭノード１００−１に於いては、デセル化部１０１により受信ＡＴＭセルをＩＰフレームに組立て、ＩＰルーティング部１０２の宛先分類部１０４によりＩＰフレームのヘッダ部の宛先を識別して出力ポート対応に分類する。そして、次の優先度分類部１０５に於いて、宛先等を基に予め設定された優先度に対応して優先通信用か非優先通信用に分類し、セル化部１０６に於いてＡＴＭセルに分離して、ＡＴＭ交換処理部１０３に転送する。
【０００５】
ＡＴＭ交換処理部１０３は、ＡＴＭ交換部１０７により、ＡＴＭセルのヘッダ部のＶＰＩ（仮想パス識別子）とＶＣＩ（仮想チャネル識別子）とを基に宛先及び優先度に対応したバッファ１０８に転送し、バッファ１０８からは、セル抽出部１０９の制御により、優先度の高いＡＴＭセルを、優先度の低いＡＴＭセルに比較して多い個数、連続的に読出して送出する。従って、優先度の高いＩＰフレームは、優先度の低いＩＰフレームよりも遅延量を少なくして伝送することができる。
【０００６】
【発明が解決しようとする課題】
前述の図２０に示す従来例に於いては、ＩＰフレームとして、優先，非優先の優先度を設定し、ＡＴＭコネクションとしては、優先通信用コネクションと非優先通信用コネクションとを設定するものであるが、更に優先度を多段階に設定することにより、きめ細かい優先制御を行うことも可能である。その場合は、優先度分類部１０５に於いて多段階の優先度に対応して分類し、それに対応して多段階の優先度対応のバッファ領域を設定することになる。そして、優先度の高いバッファ領域からは、優先度の低いバッファ領域により多くＡＴＭセルを送出する制御を行うことになる。
【０００７】
しかし、多段階の優先度を設定すると、バッファ１０８等を優先度対応に多数設ける必要があり、それにより、優先度分類部１０５の構成が複雑化し、又バッファ１０８を多段階の優先度対応の領域を有する構成とするものであるから、その制御が複雑化する問題がある。又ＩＰフレームの優先度又はセル化したＡＴＭセルの優先度を優先と非優先等の少ないレベル数とすると、各部の構成は比較的簡単となるが、優先制御は大雑把となり、且つ優先度の高いＩＰフレームが大量に流入し、それに対応して優先度の高いバッファ領域に大量にＡＴＭセルが入力されると、輻輳発生状態となる。それによって、優先度のＩＰフレームに対応したＡＴＭセルの伝送遅延の増大やセル廃棄の問題が生じる。
【０００８】
本発明は、ＩＰフレームの優先度を多段階とし、バッファは優先領域と非優先領域との優先度を２段階として、適応的に優先制御し、経済的な構成とすると共に、優先度の高いＩＰフレームに対しては、優先度を高くして処理することを目的とする。
【０００９】
【課題を解決するための手段】
本発明の優先制御システムは、図１を参照して説明すると、インターネット・プロトコルによるＩＰフレームをセル化したＡＴＭセルをＡＴＭネットワークを介して伝送し、且つＩＰフレームの優先度に従ったＡＴＭセルの優先制御を行う優先制御システムであって、ＩＰフレームの宛先及び優先度の分類境界のレベル値に従ってＡＴＭコネクション対応に優先と非優先とに分類してセル化するＩＰルーティング処理部３と、このＩＰルーティング処理部からのＡＴＭセルを交換処理して、ＡＴＭコネクション対応の優先と非優先との分類に従って加える優先領域と非優先領域とからなるバッファ９を含むＡＴＭ交換処理部と、バッファ９の使用率を検出して輻輳発生か否かを判定し、輻輳発生と判定した時に、バッファの優先領域の使用率を低減させる制御を行うプロセッサ１等の制御部を備えている。
【００１０】
又バッファ９の使用率を検出して輻輳発生か否かを判定し、輻輳発生と判定した時に、ＩＰルーティング処理部に於ける優先度の分類境界のレベル値を変更して、バッファの優先領域に流入するＡＴＭセル量を低減させる制御を行う制御部を含む構成とすることができる。又バッファ９の使用率を検出して輻輳発生か否かを判定し、輻輳発生と判定した時に、セル送出ウェイトを変更して、輻輳発生状態の領域からのＡＴＭセルの送出ウェイトを大きくする制御を行う制御部を含む構成とすることができる。
【００１１】
又本発明の優先制御方法は、インターネット・プロトコルによるＩＰフレームをセル化したＡＴＭセルをＡＴＭネットワークを介して伝送し、且つＩＰフレームの優先度に従ったＡＴＭセルの優先制御を行う優先制御方法であって、受信したＩＰフレームを宛先及び優先度の分類境界のレベル値に従ってＡＴＭコネクション対応に優先と非優先とに分類してセル化し、該セル化によるＡＴＭセルを交換処理してＡＴＭコネクション対応の優先と非優先との分類に従ってバッファの優先領域又は非優先領域に入力し、このバッファの使用率を検出して輻輳発生か否かを判定し、輻輳発生と判定した時に、ＩＰフレームの優先度の分類境界のレベル値を変更して、輻輳発生バッファ領域へのＡＴＭセルの流入量を低減する制御を行う過程を含むものである。又バッファの使用率を検出して輻輳発生か否かを判定し、輻輳発生と判定した時に、バッファのセル送出ウェイトを変更して、輻輳発生状態の領域からのＡＴＭセルの送出ウェイトを大きして輻輳解除を行う過程を含むことができる。
【００１２】
【発明の実施の形態】
図１は実施例のＡＴＭノードを示し、１は各部を制御し、且つ優先制御を行う制御部としてのプロセッサ（ＣＰＵ）、２は各種のプログラムを格納し且つ優先制御のテーブルを構成するメモリ（ＭＭ）、３はＩＰルーティング制御部、４はＣＬＡＤ部、５ａはセル化部、５ｂはデセル化部、６はＡＴＭスイッチング制御部、７は回線インタフェース部、８はＡＴＭ交換制御部、９はバッファ、１０はスケジューラ、１１はＡＴＭ交換制御部、１２はバッファ、１３はスケジューラを示す。
【００１３】
ＡＴＭノード間は、ＩＰフレームをセル化したＡＴＭセルにより伝送するもので、回線インタフェース部７は、対向するＡＴＭノードとの間のＡＴＭセルの送受信処理を行うものである。この回線インタフェース部７により受信したＡＴＭセルは、ＡＴＭスイッチング処理部６のＡＴＭ交換制御部１１を介してバッファ１２に一旦蓄積し、スケジューラ１３の制御によりＡＴＭセルをバッファ１２から取り出し、ＣＬＡＤ部４のデセル化部５ｂに転送してＡＴＭセルを分解し、ＩＰフレームに組立て、ＩＰルーティング処理部３によりＩＰフレームの宛先に従ってコネクション対応に分類し、且つ多段階の優先度を用いるＩＰフレームの優先度について、優先分類境界のレベル値を参照して優先，非優先に分類し、それぞれのＩＰフレームをＣＬＡＤ部４のセル化部５ａに於いてセル化し、ＡＴＭスイッチング処理部６に転送する。
【００１４】
ＡＴＭスイッチング処理部６のＡＴＭ交換制御部８は、ＩＰルーティング処理部３に於いて分類したコネクション対応に且つ優先，非優先の分類に対応して、バッファ９のコネクション対応の優先領域又は非優先領域にＡＴＭセルを入力する。このバッファ９からは、スケジューラ１０の制御によりＡＴＭセルを読出し、回線インタフェース部７を介して対向ＡＴＭノードへＡＴＭセルを送出する。従って、一点鎖線で示す経路でＡＴＭセルが転送される。
【００１５】
ＩＰフレームの優先度は多段階とし、これに対して、ＡＴＭスイッチング処理部６のバッファ９は、優先領域と非優先領域との２段階の優先度とし、制御部としてのプロセッサ１は、バッファ９の使用率を検出し、その使用率が閾値を超えた時に輻輳発生と判定し、又使用率が閾値を下回った時に輻輳解除と判定するものである。そして、輻輳発生と判定すると、輻輳発生のバッファ領域に対するＡＴＭセルの流入量を削減して他の領域に振り向ける制御、又はＡＴＭセルの送出量を増加する制御を行う。この場合、バッファ９に流入するＡＴＭセルの廃棄等を行うものではなく、ＩＰルーティング制御部３に於ける多段階の優先度を優先と非優先とに分類する優先分類境界のレベル値の変更又は輻輳発生バッファ領域に対するセル送出ウェイトを増加させて、輻輳解除となるように制御するものである。
【００１６】
前述のように、バッファ９をＡＴＭコネクション対応に優先領域と非優先領域とを有する構成とし、又ＩＰフレームは多段階の優先度を有し、この多段階の優先度のＩＰフレームを、優先分類境界のレベル値に従って優先と非優先とに分類して、バッファ９の優先領域と非優先領域に対応させ、例えば、優先度の高いＩＰフレームの流入量が増加すると、バッファの優先領域に流入するＡＴＭセル量が増加し、その使用量が閾値を超えることになる。その状態を輻輳発生として、優先分類境界のレベル値の変更を行うと、バッファの優先領域に流入するＡＴＭセル量は低減し、非優先領域に流入するＡＴＭセル量は増加する。それによって、輻輳解除の状態に遷移させることができる。又輻輳解除の状態となると、優先分類境界のレベル値を元に戻す制御を行うものである。又輻輳発生時に、輻輳発生状態のバッファ領域からＡＴＭセルを多数送出するように制御することができる。この場合、ＩＰフレームの優先度に対する優先分類境界のレベル値は初期設定の状態を維持し、バッファ９からＡＴＭセルを送出するセル送出ウェイトを輻輳発生か否かに対応して変更するものである。
【００１７】
図２は本発明の優先度分類処理の実施の形態の説明図であり、２０−１〜２０−４はＡＴＭノード、２１はデセル化部、２２はＩＰルーティング処理部、２３はＡＴＭ交換処理部、２４は宛先分類部、２５は優先度分類部、２６はセル化部、２７はＡＴＭ交換部、２８はバッファ、ａ１，ａ２は優先領域、ｂ１，ｂ２は非優先領域、２９はセル抽出部を示す。
【００１８】
ＡＴＭノード２０−１は、図１のＡＴＭノードに対応するものであるが、各部を制御する制御部としてのプロセッサ１と、テーブルやプログラム格納のメモリ２と、対向ＡＴＭノードに対する回線インタフェース部７と、ＡＴＭ交換制御部１１と、バッファ１２と、スケジューラ１３とについては図示を省略している。又図２のＩＰルーティング部２２は、図１のＩＰルーティング部３に対応し、図２のＡＴＭ交換処理部２３は、図１のＡＴＭスイッチング処理部６に対応する。又バッファ２８の優先領域ａ１と非優先領域ｂ１とは、ＡＴＭノード２０−３との間のＡＴＭコネクション対応のバッファ領域であり、又優先領域ａ２と非優先領域ｂ２とは、ＡＴＭノード２０−４との間のコネクション対応のバッファ領域を示す。
【００１９】
ＡＴＭノード２０−１〜２０−４の各部の構成は、図２０に示す従来例と類似しているが、図示を省略した制御部としてのプロセッサに於いて、バッファ２８の使用率を監視し、そのバッファ２８の使用率を基にＩＰフレームの流入量をチェックし、優先度分類部２５に於ける優先分類境界のレベル値を変更するか否かを判定し、バッファ２８の使用率が適正値となるように制御する。
【００２０】
例えば、バッファ２８の優先領域ａ１の使用率が増加し、使用率が閾値を超えると輻輳発生と判定し、優先度分類部２５に於いてＡＴＭノード２０−３との間のコネクション対応の優先分類境界のレベル値を変更し、バッファ２８の優先領域ａ１に流入するＡＴＭセル量を低減することができる。それにより、優先領域ａ１の輻輳解除状態に移行させることができるから、優先度最高側のＩＰフレームに対応したＡＴＭセルは、処理遅延が増大することもなく、優先処理される。又ＡＴＭノード２０−４との間のコネクション対応のバッファ２８の優先領域ａ２に対しても、その使用率を監視して、使用率が閾値を超えた輻輳発生状態の場合は、優先度分類部２５に於いて、ＡＴＭノード２０−４との間のコネクション対応の優先分類境界のレベル値を変更する制御を行う。
【００２１】
図３はプログラム構成の説明図であり、図１に於けるメモリ２に、輻輳状態管理テーブル３１と、バッファ使用率テーブル３２と、優先度分類テーブル３３とを構成し、又プロセッサ１に、コマンド受付処理部３５と、優先度分類処理情報格納コマンド処理部３６と、輻輳状態管理情報格納コマンド処理部３７との機能を設ける。
【００２２】
又メモリ２に、バッファ監視プログラム３８と、輻輳検出プログラム３９と、輻輳制御プログラム４０と、ＩＰルーティング処理制御プログラム３０とを格納する。又各プログラムや各コマンド処理部に於いて参照するテーブルを括弧内の数字で示す。例えば、輻輳検出プログラム３９は、（３１），（３２）として示すように、輻輳状態管理テーブル３１とバッファ使用率テーブル３２とを参照するものであり、又優先度分類処理情報格納コマンド処理部３６は、（３３）として示すように、優先度分類テーブル３３を参照するものである。
【００２３】
又輻輳状態管理テーブル３１は、図４に示すように、システム共通データとして、輻輳発生バッファ使用率と、輻輳解除バッファ使用率と、輻輳発生監視タイマと、複数解除監視タイマとを設定する領域と、回線番号とコネクション管理番号とに対応して輻輳状態か否かを管理する領域とを有するものである。又バッファ使用率テーブル３２は、図５に示すように、回線番号とコネクション管理番号とに対応して全体バッファ量と使用バッファ量とを管理する領域を有するものである。又優先度分類テーブル３３は、図６に示すように、システム共通データとして、優先レベル数と、優先識別子と、優先レベル１〜ｎの識別値と、優先分類境界の初期値とを設定する領域と、回線番号とコネクション管理番号とに対応して優先分類境界のレベル値を設定する領域とを有するものである。
【００２４】
又コマンド受付処理部３５は、図７に示すように、投入コマンドを判断し、投入コマンドが輻輳状態管理情報格納コマンドの場合、輻輳状態管理情報格納コマンド処理部３７を起動する。又優先度分類情報格納コマンドの場合、優先度分類処理情報格納コマンド処理部３６を起動する。その他のコマンドの場合は、他のコマンドに対応した処理部を起動する。
【００２５】
又ＩＰルーティング処理制御プログラム３０は、優先度分類処理情報格納コマンド処理部３６又は輻輳制御プログラム４０から起動され、優先度分類テーブル３３を参照して、優先分類境界のレベル値に従ってＩＰルーティング処理部２２（図２参照）の制御を行う。又輻輳状態管理情報格納コマンド処理部３７は、コマンド受付処理部３５から起動され、入力されたコマンドパラメータに従って輻輳状態管理テーブル３１に設定する。
【００２６】
又バッファ監視プログラム３８は、バッファ２８（図２参照）の使用率を監視し、バッファ使用率テーブル３２に対して、コネクション対応のバッファ使用率を書込む処理を行う。又輻輳検出プログラム４０は、周期的に起動されて、バッファ２８の使用率が閾値を超えたか否か判定し、所定の時間継続して超えた場合に輻輳発生と判断して輻輳制御プログラム４０を起動する。又輻輳状態から所定時間継続してバッファの使用率が輻輳解除ラインを下回った時は、輻輳解除と判断して輻輳制御プログラム４０を起動する。又輻輳制御プログラム４０は、バッファ２８の優先領域ａ１，ａ２の使用率が閾値を超えて輻輳状態になったと判断した時に前述のように起動され、優先度分類境界のレベル値を変更し、ＩＰルーティング処理部３２に対して優先度分類境界のレベル値の変更を通知する。
【００２７】
コマンド受付処理部３５により起動された優先度分類処理情報格納コマンド処理部３６は、図８及び図９に示すフローチャートに従った処理を行うもので、システム共通データとして、優先レベル数を、図６に示すように、優先度分類テーブル３３に設定する（Ａ１）。次に、システム共通データとして、優先識別子を設定する（Ａ２）。
【００２８】
この優先識別子は、例えば、ＩＰフレームのＴＯＳ（Ｔｙｐｅ　ｏｆ　Ｓｅｒｖｉｃｅ）フィールドを用いることができる。このＴＯＳフィールドは、１バイト構成であり、１ビット目〜３ビット目の３ビット構成により優先度を表し、４ビット目を通常の遅延（“０”）か低遅延（“１”）を示す遅延（Ｄｅｌａｙ）についてのＤビットットとし、５ビット目を通常のスループット（“０”）か高スループット（“１”）かを示すスループット（Ｔｈｒｏｕｇｈｐｕｔ）についてのＴビットとし、６ビット目を通常の信頼性（“０”）か高信頼性（“１”）かを示す信頼性（Ｒｅｌｉａｂｉｌｉｔｙ）についてのＲビットとし、７ビット目を低コスト（“１”）か通常のコスト（“０”）かを要求する低コスト（Ｌｏｗ−ｃｏｓｔ）についてのＬビットとし、８ビット目は０とする。又この優先識別子として、ＴＯＳフィールド以外を用いることができるものであり、例えば、ＩＰフレームのヘッダ部の宛先や送信元のアドレスを優先識別子として設定することもできる。即ち、特定の宛先や特定の送信元についてのＩＰフレームの優先度を高く設定することができる。
【００２９】
次に、初期値としてｉに０を設定、即ち、ｉ＝０とし（Ａ３）、ｉ≧優先レベル数（多段階の優先度の数）か否かを判定し（Ａ４）、ｉが優先レベル数に達した時は、ステップ（Ａ７）に移行し、達しない時は、システム共通データとして、優先レベルｉの識別値を設定し（Ａ５）、ｉに１を足して、即ち、ｉ＝ｉ＋１として（Ａ６）、ステップ（Ａ４）に移行する。又ステップ（Ａ７）に於いては、システム共通データとして、優先分類境界値のレベル値を設定する。
【００３０】
次に、初期値としてＬに０を設定、即ち、Ｌ＝０とし（Ａ８）、Ｌ≧回線数か否かを判定し（Ａ９）、Ｌが回線数に達した時は、ステップ（Ａ１５）に移行し、達しない時は、初期値としてＫに０を設定、即ち、Ｋ＝０とする（Ａ１０）。そして、Ｋ≧コネクション数か否かを判定し（Ａ１１）、Ｋがコネクション数に達した時は、Ｌに１を足して、即ち、Ｌ＝Ｌ＋１とし（Ａ１４）、ステップ（Ａ９）に移行して、Ｌ≧回線数か否かを判定し、又達しない時は、コネクション毎のデータに、優先分類境界のレベル値を初期設定する。このレベル値は、前述のシステム共通データからコピーする（Ａ１２）。そして、Ｋに１を足して、即ち、Ｋ＝Ｋ＋１として（Ａ１３）、ステップ（Ａ１１）に移行する。又ステップ（Ａ１５）に於いては、優先度分類テーブル３３の初期設定が終了したので、ＩＰルーティング処理制御プログラム３０を起動する。
【００３１】
コマンド受付処理部３５により起動された輻輳状態管理情報格納コマンド処理部３７は、図１０及び図１１に示すフローチャートに従った処理を行うもので、システム共通データとして、輻輳状態管理テーブル３１に、輻輳発生バッファ使用率を設定し（Ｂ１）、同様に、輻輳解除バッファ使用率を設定し（Ｂ２）、輻輳発生監視タイマを設定し（Ｂ３）、輻輳解除監視タイマを設定する（Ｂ４）。即ち、図４に示す輻輳状態管理テーブルのシステム共通データが設定される。なお、その場合に、（輻輳発生バッファ使用率）＞（輻輳解除バッファ使用率）の関係とする。
【００３２】
次に、Ｌ＝０とし（Ｂ６）、Ｌ≧回線数か否かを判定し（Ｂ７）、Ｌが回線数に達した時は、終了とし、達しない時は、Ｋ＝０とし（Ｂ７）、Ｋ≧コネクション数か否かを判定し（Ｂ８）、Ｋがコネクション数に達した時は、Ｌ＝Ｌ＋１として（Ｂ１１）、ステップ（Ｂ６）に移行する。又達しない時は、コネクション毎のデータに輻輳状態を、輻輳解除状態に初期設定する（Ｂ９）。即ち、図４に示すように、回線番号とコネクション番号とによるコネクション対応の領域の輻輳状態の設定内容を、輻輳解除状態として初期設定する。そして、Ｋ＝Ｋ＋１とし（Ｂ１０）、ステップ（８）に移行する。
【００３３】
図１２は、バッファ監視プログラムによるフローチャートを示し、バッファ監視プログラム３８は、周期的に起動され、バッファ使用率テーブル３２を参照して処理を行うもので、先ず、周期起動時間か否かを判定し（Ｃ１）、起動時間でない場合は終了とし、起動時間の場合は、Ｌ＝０とし（Ｃ２）、Ｌ≧回線数か否かを判し（Ｃ３）、Ｌが回線数に達すると終了とし、達しない場合は、Ｋ＝０とし（Ｃ４）、Ｋ≧コネクション数か否かを判定し（Ｃ５）、Ｋがコネクション数に達すると、Ｌ＝Ｌ＋１として（Ｃ８）、ステップ（Ｃ３）に移行し、達しない場合は、バッファ使用量を収集し、バッファ使用率テーブル３２に格納し（Ｃ６）、Ｋ＝Ｋ＋１として（Ｃ７）、ステップ（Ｃ５）に移行する。
【００３４】
図１３は、輻輳検出プログラムによるフローチャートを示し、輻輳検出プログラム３９は、周期的に起動されて、輻輳状態管理テーブル３１とバッファ使用率テーブル３２とを参照して処理するもので、先ず、周期起動時間か否かを判定し（Ｄ１）、起動時間でない場合は終了とし、起動時間の場合はＬ＝０とし（Ｄ２）、Ｌ≧回線数か否かを判し（Ｄ３）、Ｌが回線数に達すると終了とし、達しない場合は、Ｋ＝０とし（Ｄ４）、Ｋ≧コネクション数か否かを判定し（Ｄ５）、Ｋがコネクション数に達すると、Ｌ＝Ｌ＋１として（Ｄ９）、ステップ（Ｄ３）に移行する。
【００３５】
又Ｋがコネクション数に達しない場合は、バッファ使用率テーブル３２からバッファ使用数を読出して、使用率を算出する（Ｄ６）。そして、輻輳検出処理状態遷移表に従って処理を行い（Ｄ７）、Ｋ＝Ｋ＋１として（Ｄ８）、ステップ（Ｄ５）に移行する。即ち、周期的に起動されて、全回線数と全コネクション数とに対してバッファ使用率を基に輻輳発生か否かを判定する。
【００３６】
図１４は、前述のステップ（Ｄ７）に於いて適用する輻輳検出処理状態遷移表の説明図であり、輻輳解除状態“００”と、輻輳発生監視中“１０”と、輻輳発生状態“２０”と、輻輳解除監視中“３０”とに対して、バッファ使用率について、（バッファ使用率＜輻輳解除値）と、（輻輳解除値≦バッファ使用率≦輻輳発生値）と、（輻輳発生値＜バッファ使用率）との関係を示している。
【００３７】
例えば、輻輳解除状態“００”に於いて、（バッファ使用率＜輻輳解除値）と、（輻輳解除値≦バッファ使用率≦輻輳発生値）との場合は、状態遷移は生じないが、（輻輳発生値＜バッファ使用率）となると、輻輳状態管理テーブル３１の輻輳発生監視タイマをセットし、輻輳発生監視中“１０”の状態に遷移する。
【００３８】
この輻輳発生監視中“１０”の状態に於いて、輻輳発生監視タイマがタイマ満了（タイムアウト）となるまでに、（輻輳発生値＜バッファ使用率）の状態であると、輻輳制御プログラム４０を起動して、輻輳発生状態“２０”に遷移し、その他の条件の場合は、輻輳発生監視タイマキャンセルとして示すようにタイマをリセットして、輻輳解除状態“００”に遷移する。又輻輳発生状態“２０”に於いて、（バッファ使用率＜輻輳解除値）の関係となると、輻輳状態管理テーブル３１の輻輳解除監視タイマをセットし、輻輳解除監視中“３０”に遷移する。この条件以外の状態の場合は、輻輳発生状態を継続する。
【００３９】
この輻輳発生状態“２０”から輻輳解除監視中“３０”に遷移し、輻輳解除監視タイマの満了（タイムアウト）となるまでに、（バッファ使用率＜輻輳解除値）の関係を継続している場合は、輻輳解除状態“００”に遷移する。それ以外は、輻輳発生状態“２０”を継続することになる。従って、一時的に、（輻輳発生値＜バッファ使用率）の状態となっても輻輳発生と判断せず、輻輳発生監視タイマの設定時間継続した時に輻輳発生と判断し、又輻輳発生状態に於いても、一時的に、（バッファ使用率＜輻輳解除値）の状態となっても輻輳解除とはせず、輻輳解除監視タイマの設定時間継続した時に輻輳解除と判断するものである。
【００４０】
図１５は優先度分類テーブル３３を参照して処理する輻輳制御プログラム４０による処理を示し、処理種別が輻輳発生か輻輳解除を判定し（Ｅ１）、輻輳発生の場合は、優先度分類テーブル３３の当該コネクションの優先分類境界のレベル値（図６参照）を読出し（Ｅ２）、最低レベルでなければ、優先分類境界のレベル値を下げ、この下げたレベル値を優先度分類テーブル３３に設定する（Ｅ３）。又輻輳解除の場合は、優先度分類テーブル３３の当該コネクションの優先度分類境界のレベル値を読出し（Ｅ４）、最高レベルでなければ、レベル値を上げて、優先度分類テーブル３３に設定する（Ｅ５）。
【００４１】
従って、図６に示す優先度分類テーブルの回線番号とコネクション番号とをインデックスとしたコネクション対応領域の優先分類境界のレベル値を輻輳発生か輻輳解除かに応じて適応的に変更し、輻輳発生時には、バッファの優先領域に流入する多段階の優先度のＩＰフレームを優先度数を少なくして、バッファの優先領域の使用率の低減を図ることになる。
【００４２】
図１６は、輻輳制御プログラム４０により起動されるＩＰルーティング処理制御プログラム３０によるフローチャートを示し、優先度分類テーブル３３の当該コネクションの優先分類境界のレベル値（図６参照）を読出し（Ｆ１）、ＩＰルーティング処理部２２（図２参照）に備えたフォワディングテーブルに、宛先ＩＰアドレス毎に、ＩＰフレーム内の優先識別子と出力先コネクション識別子との対応を設定する（Ｆ２）。
【００４３】
優先度分類テーブル３３の優先分類境界のレベル値は、図６及び図１５について説明したように、輻輳発生により変更するものであり、この優先分類境界のレベル値を、ＩＰルーティング処理部２２のフォワディングテーブルにＩＰアドレスに対応して前述のように設定することにより、ＩＰルーティング処理部２２（図２参照）の優先度分類部２５は、バッファ２８の優先領域に対して出力するＩＰフレーム数を低減し、その分をバッファ２８の非優先領域に対して出力するように制御することができる。それにより、バッファ２８の領域を多段階の優先度に合わせることなく、２段階の領域構成でもって、最優先のＩＰフレームについては遅延の増加を生じることなく伝送制御が可能となる。
【００４４】
図１７は本発明のセル送出ウェイト処理の実施の形態の説明図であり、５０−１〜５０−４はＡＴＭノード、５１はデセル化部、５２はＩＰルーティング処理部、５３はＡＴＭ交換処理部、５４は宛先分類部、５５は優先度分類部、５６はセル化部、５７はＡＴＭ交換部、５８はバッファ、ａ１，ａ２は優先領域、ｂ１，ｂ２は非優先領域、５９はセル抽出部を示す。
【００４５】
ＡＴＭノード５０−１は、図２に示すＡＴＭノード２０−１と同様に、図１のＡＴＭノードに対応するものであるが、制御部としてのプロセッサ１と、各種のプログラムを格納し且つ各種のテーブルを構成するメモリ２と、対向ＡＴＭノードとの間のＡＴＭセルの送受信を行う回線インタフェース部７と、ＡＴＭ交換制御部１１と、バッファ１２と、スケジューラ１３とについては図示を省略している。又図１７のＩＰルーティング部５２は、図１のＩＰルーティング部３２に対応し、図１７のＡＴＭ交換処理部５３は、図１のＡＴＭスイッチング処理部６に対応する。
【００４６】
図１７に於いて、図２に示す実施の形態の構成と同一名称の部分は同一の機能を有するものであるが、図示を省略した制御部としてのプロセッサにより、バッファ５８の使用率を検出し、その使用率を基に、バッファ５８からのセル送出ウェイトを変更して、バッファ５８をコネクション対応に優先領域ａ１，ａ２と、非優先領域ｂ１，ｂ２とからなる構成とした場合でも、輻輳発生時にセル送出ウェイトを変更することによって、最優先のＩＰフレーム対応のＡＴＭセルを最優先として送出制御することが可能となる。
【００４７】
図１８は図１７に示す構成に適用するプログラム構成の説明図であり、図１に於けるメモリ２に、輻輳状態管理テーブル６１と、バッファ使用率テーブル６２と、セル送出ウェイト管理テーブル６３とを構成し、又プロセッサ１に、コマンド受付処理部６５と、セル送出ウェイト情報格納コマンド処理部６６と、輻輳状態管理情報格納コマンド処理部６７との機能を設ける。
【００４８】
又メモリ２に、ＡＴＭスイッチング処理制御プログラム６４と、バッファ監視プログラム６８と、輻輳検出プログラム６９と、輻輳制御プログラム７０とを格納する。又各プログラムや各コマンド処理部に於いて参照するテーブルを括弧内の数字で示す。例えば、輻輳検出プログラム６９は、（６１），（６２）として示すように、輻輳状態管理テーブル６１とバッファ使用率テーブル６２とを参照するものであり、又セル送出ウェイト情報格納コマンド処理部６６は、（６３）として示すように、セル送出ウェイト管理テーブル６３を参照する。
【００４９】
又図１８に於いて、図３と同一名称のテーブルと処理部とプログラムとは、同一の構成及び機能を有するものである。又セル送出ウェイト管理テーブル６３は、図１９に示すように、システム共通データとして、優先コネクション（バッファ５８の優先領域ａ１，ａ２対応）セル送出ウェイト初期値と、非優先コネクション（バッファ５８の非優先領域ｂ１，ｂ２対応）セル送出ウェイト初期値とを設定し、又回線番号とコネクション管理番号とによるコネクション対応に、セル送出ウェイトを格納する。
【００５０】
又セル送出ウェイト情報格納コマンド処理部６６は、コマンド受付処理部６５により起動されて、図１９に示すように、セル送出ウェイト管理テーブル６３にシステム共通データを設定し、且つコネクション対応のセル送出ウェイトについては、システム共通データのセル送出ウェイト初期値をその初期値として設定する。
【００５１】
そして、プロセッサは、バッファ５８の優先領域ａ１，ａ２と非優先領域ｂ１，ｂ２との使用率を検出し、輻輳状態管理テーブル６１に設定した輻輳発生バッファ使用率（図４参照）を超えた時に、輻輳発生と判定する。例えば、図１４に示す輻輳検出処理状態遷移表に従って、コネクション対応に、それぞれのバッファ領域の使用率を検出して輻輳発生か否かを判定し、バッファ５８の優先領域ａ１，ａ２の輻輳発生と判定すると、その優先領域ａ１，ａ２に対するセル送出ウェイトを大きくして、ＡＴＭセルの送出頻度を高くし、輻輳解除状態に移行させる制御を行うものである。
【００５２】
従って、ＩＰフレームについての優先度を多段階とし、バッファ５８をコネクション対応に優先領域と非優先領域との２段階として、この優先領域と非優先領域とに振り分けるＩＰフレームを、優先分類境界のレベル値に従って分類し、バッファ５８の優先領域に対応するＩＰフレームの流入量が増加し、優先領域の使用率が大きくなって輻輳発生状態となると、その優先領域のセル送出ウェイトを大きくし、それにより、優先領域からのＡＴＭセルの送出量を増加して、輻輳解除状態に移行させることができる。
【００５３】
（付記１）インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御システムに於いて、前記ＩＰフレームの宛先及び優先度の分類境界のレベル値に従ってＡＴＭコネクション対応に優先と非優先とに分類してセル化するＩＰルーティング処理部と、該ＩＰルーティング処理部からのＡＴＭセルを交換処理して、ＡＴＭコネクション対応の優先と非優先との分類に従って加える優先領域と非優先領域とからなるバッファを含むＡＴＭ交換処理部と、前記バッファの使用率を検出して輻輳発生か否かを判定し、輻輳発生と判定した時に、前記バッファの優先領域の使用率を低減させる制御を行う制御部とを備えたことを特徴とする優先制御システム。
【００５４】
（付記２）インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御システムに於いて、前記ＩＰフレームの宛先及び優先度の分類境界のレベル値に従ってＡＴＭコネクション対応に優先と非優先とに分類してセル化するＩＰルーティング処理部と、該ＩＰルーティング処理部からのＡＴＭセルを交換処理して、ＡＴＭコネクション対応の優先と非優先との分類に従って加える優先領域と非優先領域とからなるバッファを含むＡＴＭ交換処理部と、前記バッファの使用率を検出して輻輳発生か否かを判定し、輻輳発生と判定した時に、前記ＩＰルーティング処理部に於ける優先度の分類境界のレベル値を変更して前記バッファの優先領域に流入するＡＴＭセル量を低減させる制御を行う制御部とを備えたことを特徴とする優先制御システム。（付記３）輻輳発生バッファ使用率と輻輳解除バッファ使用率とを含みコネクション対応の輻輳状態か否かを管理する輻輳状態管理テーブルと、ＡＴＭコネクション対応にバッファ使用率を求めるバッファ使用率テーブルと、ＡＴＭコネクション対応の優先分類境界のレベル値を格納した優先度分類テーブルとを備えたことを特徴とする付記２記載の優先制御システム。
【００５５】
（付記４）前記バッファの使用率を監視して前記輻輳状態管理テーブルのコネクション対応の輻輳状態か否かの設定制御を行うバッファ監視プログラムと、前記輻輳状態管理テーブルと前記バッファ使用率テーブルとを参照して輻輳発生検出処理を行う輻輳検出プログラムと、該輻輳検出プログラムにより輻輳発生検出時に起動され、前記優先度分類テーブルを参照して輻輳制御を行う輻輳制御プログラムと、該輻輳制御プログラムにより起動されてＩＰルーティング処理部を制御して、ＩＰフレームの優先，非優先の分類制御を行うＩＰルーティング処理制御プログラムとを、前記制御部により制御するメモリに格納した構成を有することを特徴とする付記２又は３記載の優先制御システム。
（付記５）前記輻輳状態管理テーブルは、コネクション対応のバッファ領域の使用率が前記輻輳発生バッファ使用率を超えた時に起動され、タイムアウトにより前記輻輳制御プログラムを起動する為の輻輳発生監視タイマと、輻輳発生時の前記バッファ領域の使用率が前記輻輳解除バッファ使用率を下回った時に起動されて前記輻輳制御プログラムを起動する為の輻輳解除監視タイマとを備えたことを特徴とする付記２乃至４の何れの優先制御システム。
【００５６】
（付記６）インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御システムに於いて、前記ＩＰフレームの宛先及び優先度の分類境界のレベル値に従ってＡＴＭコネクション対応に優先と非優先とに分類してセル化するＩＰルーティング処理部と、該ＩＰルーティング処理部からのＡＴＭセルを交換処理して、ＡＴＭコネクション対応の優先と非優先との分類に従って加える優先領域と非優先領域とからなり、且つセル送出ウェイトに従ってＡＴＭセルを送出するバッファを含むＡＴＭ交換処理部と、前記バッファの使用率を検出して輻輳発生か否かを判定し、輻輳発生と判定した時に、前記セル送出ウェイトを変更して、輻輳発生状態の領域からのＡＴＭセルの送出ウェイトを大きくする制御を行う制御部とを備えたことを特徴とする優先制御システム。
（付記７）輻輳発生バッファ使用率と輻輳解除バッファ使用率とを含みＡＴＭコネクション対応の輻輳状態か否かを管理する輻輳状態管理テーブルと、ＡＴＭコネクション対応にバッファ使用率を求めるバッファ使用率テーブルと、ＡＴＭコネクション対応のバッファ領域からのセル送出ウェイトを管理するセル送出ウェイト管理テーブルとを備えたことを特徴とする付記６記載の優先制御システム。
（付記８）前記バッファの使用率を監視して前記輻輳状態管理テーブルのＡＴＭコネクション対応の輻輳状態か否かの設定制御を行うバッファ監視プログラムと、前記輻輳状態管理テーブルと前記バッファ使用率テーブルとを参照して輻輳発生検出処理を行う輻輳検出プログラムと、該輻輳検出プログラムにより輻輳発生検出時に起動され、前記セル送出ウェイト管理テーブルを参照して輻輳制御を行う輻輳制御プログラムと、該輻輳制御プログラムにより起動されてＡＴＭ交換処理部のバッファから送出するＡＴＭセルについてのセル送出ウェイトを制御するＡＴＭスイッチング処理制御プログラムとを、前記制御部により制御するメモリに格納した構成を有することを特徴とする付記６又は７記載の優先制御システム。
【００５７】
（付記９）インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御方法に於いて、受信したＩＰフレームを宛先及び優先度の分類境界のレベル値に従ってＡＴＭコネクション対応に優先と非優先とに分類してセル化し、該セル化によるＡＴＭセルを交換処理してＡＴＭコネクション対応の優先と非優先との分類に従ってバッファの優先領域又は非優先領域に入力し、該バッファの使用率を検出して輻輳発生か否かを判定し、輻輳発生と判定した時に、前記ＩＰフレームの優先度の分類境界のレベル値を変更して、輻輳発生バッファ領域へのＡＴＭセルの流入量を低減する制御を行う過程を含むことを特徴とする優先制御方法。
（付記１０）インターネット・プロトコルによるＩＰフレームをセル化したＡＴＭセルをＡＴＭネットワークを介して伝送し、且つ前記ＩＰフレームの優先度に従った前記ＡＴＭセルの優先制御を行う優先制御方法に於いて、受信したＩＰフレームを宛先及び優先度の分類境界のレベル値に従ってＡＴＭコネクション対応に優先と非優先とに分類してセル化し、該セル化によるＡＴＭセルを交換処理してＡＴＭコネクション対応の優先と非優先との分類に従ってバッファの優先領域又は非優先領域に入力し、該バッファからセル送出ウェイトに従ってＡＴＭセルを送出し、且つ該バッファの使用率を検出して輻輳発生か否かを判定し、輻輳発生と判定した時に、前記セル送出ウェイトを変更して、輻輳発生状態の領域からのＡＴＭセルの送出ウェイトを大きくして輻輳解除を行う過程を含むことを特徴とする優先制御方法。
【００５８】
【発明の効果】
以上説明したように、本発明は、多段階のＩＰフレームの優先度に対して、２段階の優先度のバッファ領域を設け、バッファ使用率を基に輻輳発生か否かを判定し、輻輳発生と判定した時に、ＩＰフレームを優先，非優先に分類する為の優先分類境界のレベル値の変更により、輻輳発生バッファ領域に対するＡＴＭセルの流入量を低減して輻輳解除状態に遷移させるか、又は輻輳発生バッファ領域に対するセル送出ウェイトを増大して、ＡＴＭセルの送出量を増大して輻輳解除状態に遷移させることができるから、バッファに対する優先，非優先の２段階の優先制御に於いても、ＩＰフレームの多段階の優先度に対して適応的に制御して、きめ細やかな優先制御が可能となる利点があり、優先度の高いＩＰフレームに対しては、常に優先度を高くして伝送制御が可能となる。
【図面の簡単な説明】
【図１】本発明の実施の形態の説明図である。
【図２】本発明の優先度分類処理の実施の形態の説明図である。
【図３】プログラム構成の説明図である。
【図４】輻輳状態管理テーブルの説明図である。
【図５】バッファ使用率テーブルの説明図である。
【図６】優先度分類テーブルの説明図である。
【図７】コマンド受付処理部の処理フローチャートである。
【図８】優先度分類処理情報格納コマンド処理部のフローチャートである。
【図９】優先度分類処理情報格納コマンド処理部のフローチャートである。
【図１０】輻輳状態管理情報格納コマンド処理部のフローチャートである。
【図１１】輻輳状態管理情報格納コマンド処理部のフローチャートである。
【図１２】バッファ監視プログラムによるフローチャートである。
【図１３】輻輳検出プログラムによるフローチャートである。
【図１４】輻輳検出処理状態遷移表の説明図である。
【図１５】輻輳制御プログラムによるフローチャートである。
【図１６】ＩＰルーティング処理制御プログラムによるフローチャートである。
【図１７】本発明のセル送出ウェイト処理の実施の形態の説明図である。
【図１８】プログラム構成の説明図である。
【図１９】セル送出ウェイト管理テーブルの説明図である。
【図２０】従来例の説明図である。
【符号の説明】
１　プロセッサ（ＣＰＵ）
２　メモリ（ＭＭ）
３　ＩＰルーティング処理部
４　ＣＬＡＤ部
５ａ　セル化部
５ｂ　デセル化部
６　ＡＴＭスイッチング処理部
７　回線インタフェース部
８　ＡＴＭ交換制御部
９　バッファ
１０　スケジューラ
１１　ＡＴＭ交換制御部
１２　バッファ
１３　スケジューラ
【図１】
2004048156.tif 000003
【図２】
2004048156.tif 000004
【図３】
2004048156.tif 000005
【図４】
2004048156.tif 000006
【図５】
2004048156.tif 000007
【図６】
2004048156.tif 000008
【図７】
2004048156.tif 000009
【図８】
2004048156.tif 000010
【図９】
2004048156.tif 000011
【図１０】
2004048156.tif 000012
【図１１】
2004048156.tif 000013
【図１２】
2004048156.tif 000014
【図１３】
2004048156.tif 000015
【図１４】
2004048156.tif 000016
【図１５】
2004048156.tif 000017
【図１６】
2004048156.tif 000018
【図１７】
2004048156.tif 000019
【図１８】
2004048156.tif 000020
【図１９】
2004048156.tif 000021
【図２０】
2004048156.tif 000022